(57)【要約】      （修正有）【課題】高感度でありながら、飛距離の出る竿釣り用うきを提供する。【解決手段】釣り用うき１０は、低感度のうき部分１２と、上記低感度のうき部分１２と摺動可能に係合した高感度のうき部分１４とを備えている。低感度のうき部分１２及び高感度のうき部分１４の各々は、うき１０を釣糸に保持する釣糸保持要素２４、３０を有している。うき１０は、高感度のうき部分１４の釣糸保持要素３０が低感度のうき部分１２の両端間の中間位置まで可動であることを特徴とする。【選択図】図１
2006230405.tif 000002
【特許請求の範囲】
【請求項１】
低感度のうき部分（１２；１２´）と、
前記低感度のうき部分（１２；１２´）と摺動可能に係合した高感度のうき部分（１４；１４´）とを備え、低感度のうき部分（１２；１２´）及び高感度のうき部分（１４；１４´）の各々は、うき（１０；１０´）を釣糸に保持する釣糸保持要素（２４、３０；２４´、３０´）を有する、釣り用うき（１０；１０´）において、
高感度のうき部分（１４；１４´）の釣糸保持要素（３０；３０´）は、低感度のうき部分（１２；１２´）の両端間の中間位置まで可動であることを特徴とする、釣り用うき。
【請求項２】
請求項１に記載のうきにおいて、高感度のうき部分（１４；１４´）は、少なくとも一部分が低感度のうき部分（１２；１２´）内に摺動可能に受け入れられる、うき。
【請求項３】
請求項１又は２に記載のうきにおいて、高感度のうきの釣糸保持要素（３０；３０´）が低感度のうきの釣糸保持要素（２４；２４´）に対して完全に後退したとき、高感度のうきの釣糸保持要素（３０；３０´）と反対側の高感度のうき部分（１４；１４´）の端部が視認可能であり、また、高感度のうきの釣糸保持要素（３０；３０´）が低感度のうきの釣糸保持要素（２４；２４´）に対して完全に伸びたとき、高感度のうきの釣糸保持要素（３０；３０´）と反対側の高感度のうき部分（１４；１４´）の端部が隠れるようにした、うき。
【請求項４】
請求項１ないし３の何れか１つの項に記載のうきにおいて、低感度のうき（１２；１２´）は、管状部分（１６；１６´）と、前記管状部分（１６；１６´）から伸びる低感度のうきのアーム（１８；１８´）とを有し、高感度のうき部分（１４；１４´）の少なくとも一部分は、低感度のうき部分（１２；１２´）の管状部分（１６；１６´）内にて摺動可能であり、低感度のうきの釣糸保持要素（２４；２４´）は、低感度のうきのアーム（１８；１８´）の端部に配置される、うき。
【請求項５】
請求項１ないし４の何れか１つの項に記載のうきにおいて、高感度のうき部分（１４）が完全に突出したとき、２つの釣糸保持要素（２４、３０）は互いに隣接する、うき。
【請求項６】
請求項１ないし５の何れか１つの項に記載のうきにおいて、高感度のうき部分（１４）は、浮揚性うき本体（２６）と、前記うき本体（２６）の一端から伸びる高感度のうきのアーム（２８）とを有し、高感度のうきの釣糸保持要素（３０）は高感度のうきのアーム（２８）の端部に配置される、うき。
【請求項７】
請求項１ないし４の何れか１つの項に記載のうきにおいて、高感度のうき部分（１４´）は、浮揚性うき本体（２６´）と、一端にて又は該一端に隣接して細長い可撓性の要素（３８）によりうき本体（２６´）に連結され且つ、他端にて又は該他端に隣接して低感度のうき部分（１２´）に回動可能に接続された高感度のうきのアーム（２８´）とを有する、うき。
【請求項８】
請求項７に記載のうきにおいて、高感度のうき部分（１４´）が完全に突出したとき、高感度のうきの釣糸保持要素（３０´）は、低感度のうき部分の釣糸保持要素（２４´）を超えて伸びる、うき。
【請求項９】
請求項１ないし８の何れか１つの項に記載の釣り用うき（１０；１０´）と、高感度のうき部分（１４：１４´）及び低感度のうき部分（１２；１２´）の釣糸保持要素（２４、３０；２４´、３０´）により保持された釣糸とを備える釣り道具。
【請求項１０】
請求項９に記載の釣り道具において、低感度のうきの釣糸保持要素（２４；２４´）にて又は該保持要素に隣接して釣糸に取り付けられた本明細書に記載の投げ込み用錘を更に備え、前記投げ込み用錘は、釣糸の一部分が高感度のうきの釣糸保持要素（３０；３０´）を通って自由に摺動し得るよう釣糸に配置される、釣り道具。
【請求項１１】
ロッド及びリールを使用する竿釣り方法において、
ａ）２つの釣糸保持要素（２４、３０；２４´、３０´）を使用して、釣糸を請求項１ないし８の何れか１つの項に記載の釣り用うき（１０；１０´）に固定するステップと、
ｂ）本明細書に記載の１つ以上の投げ込み用錘を釣糸に取り付け、低感度のうき部分（１２；１２´）が釣糸に沿って動くのを防止し又は制限し、高感度のうきの釣糸保持要素（３０；３０´）が釣糸に沿って移動するのを許容するステップと、
ｃ）投げ込んだとき、低感度のうき部分は前記投げ込み用錘又は各投げ込み用錘のため遠方に投げ込むのを可能にし、高感度のうき部分（１４；１４´）が低い釣鉤抵抗を提供するように釣鉤を釣糸の端部に固定するステップとを備える、竿釣り方法。
【発明の詳細な説明】
【技術分野】
【０００１】
本発明は、釣り用うき、かかるうきを使用する釣り道具及びロッド及びリールを使用する竿釣り方法に関する。
【背景技術】
【０００２】
釣りの２つの型式として、ロッド及びリール釣りと、竿釣りとがある。その双方が周知である。ロッド及びリール釣りは、投げ込み、すなわちキャスティングを必要とし、このため、投げ込み用錘を有する相対的に重いすなわち低感度のうきを必要とする。竿釣りは、一定の釣糸を有する、すなわち、リールの無い、１６ｍ以上程度となることがしばしばである極めて長い竿を利用する。竿釣りするとき、その目的は魚に対して極めて低抵抗の釣糸及び釣鉤を提供することであるため、投げ込みは利用されない。
【発明の開示】
【発明が解決しようとする課題】
【０００３】
本明細書の全体を通じて「投げ込み用錘」という語を使用することは、通常、投げ込み、すなわちキャスティングと関係した釣人の錘を意味することを目的とする。投げ込み用錘の例は、割り型ショットである。
【０００４】
ロッド及びリール釣りに伴う問題点は、投げ込み用錘を有する低感度のうきを利用することにより、必然的に魚に対する釣糸及び釣鉤の抵抗が相対的に大きくなることである。その結果、餌に食い付こうとする魚は、餌を試すとき、予想しない抵抗であることが分かり、しばしば恐れて離れてしまう。
【０００５】
竿釣りに伴う問題点は、投げ込みはされないため、長い釣竿であるにも拘らず、餌を提供することのできる距離が極めて制限される点である。
【０００６】
本発明は、これらの問題点を解決することを目的とする。
【課題を解決するための手段】
【０００７】
本発明の第一の特徴に従い、重いすなわち低感度のうき部分（ここでで「低感度の（又は重い）うき」とは強い引き（引っ張り力）に対して動作し弱い引きに対して動作しにくいうきを言う）と、該低感度のうき部分と摺動可能に係合した軽いすなわち高感度のうき部分（ここで「高感度の（又は軽い）うき」とは弱い引き（引っ張り力）に対してでも動作するうきを言う）とを備え、低感度のうき部分及び高感度のうき部分は、各々、うきを釣糸に保持する釣糸保持要素を有する、釣り用うきであって、高感度のうき部分の釣糸保持要素は、低感度のうき部分の端部間の中間位置まで可動であることを特徴とする釣り用うきが提供される。
【０００８】
本発明の第二の特徴によれば、本発明の第一の特徴による釣り用うきと、高感度のうき部分及び低感度のうき部分の釣糸保持要素により保持された釣糸とを備える釣り道具が提供される。
【０００９】
好ましくは、釣り道具は、低感度のうきの釣糸保持要素にて又は該保持要素に隣接して釣糸に取り付けられた、本明細書に記載した投げ込み用錘を更に備えており、該投げ込み用錘は、釣糸の一部分が高感度のうきの釣糸保持要素を通って自由に摺動し得るように釣糸に配置される。
【００１０】
本発明の第三の特徴に従い、ロッド及びリールを使用して竿釣りする方法であって、
ａ）２つの釣糸保持要素を使用して釣糸を本発明の第一の特徴による釣り用うきに対し固定するステップと、
ｂ）本明細書に記載した１つ以上の投げ込み用錘を釣糸に取り付け、釣糸に沿った低感度のうき部分の動きを防止し又は制限し、且つ釣糸に沿って高感度のうきの釣糸保持要素が移動するのを許容するステップと、
ｃ）投げ込んだとき、該投げ込み用錘又は各々の投げ込み用錘のため、低感度のうき部分は長距離の投げ込みを可能にし、また、高感度のうき部分は、低い釣鉤抵抗を提供するように釣鉤を釣糸の端部に固定するステップとを備える、竿釣り方法が提供される。
【発明を実施するための最良の形態】
【００１１】
本発明は、以下に、単に一例として添付図面を参照しつつ、より特定的に説明する。
【００１２】
先ず、図１及び図２を簡単に参照すると、低感度のうき部分（この明細書中で「低感度の（又は重い）うき」とは強い引き（引っ張り力）に対して動作し弱い引きに対して動作しにくいうきすなわち敏感でないうきを言う）１２と、該低感度のうき部分１２と摺動可能に係合した高感度のうき部分（この明細書中で「高感度のうき」とは弱い引き（引っ張り力）に対してでも動作するうき、すなわち敏感なうきを言う）１４とを備える釣り用うき１０が示されている。重いすなわち低感度のうき部分１２は、管状本体部分１６と、管状本体部分１６の一端に取り付けられた細長い低感度のうきのアーム１８とを有している。低感度のうき部分１２の管状部分１６は、両端にて開放しており、低感度のうきのアーム１８に最も近い管状部分１６の端部にて又はその端部に隣接して配置された第一の浮揚要素２０と、管状部分１６の他端にて又は該他端に隣接して配置された第二の浮揚要素２２とを有している。
【００１３】
低感度のうきのアーム１８は、この場合、アイリング（ｅｙｅ  ｒｉｎｇ）である釣糸保持要素２４をその末端に有している。
【００１４】
低感度のうき部分１２の管状部分１６は、典型的に、プラスチックで出来ており、また、低感度のうきのアーム１８は、典型的に、金属で出来ている。しかし、任意の他の適宜な材料を使用することができる。
【００１５】
軽いすなわち高感度のうき部分１４は、細長いうき本体２６と、該うき本体２６の一端から突き出す細長い高感度のうきのアーム２８とを有している。うき本体２６は、浮揚性材料にて形成され且つ、低感度のうき部分１２の管状部分１６内に摺動可能に受け入れられる。
【００１６】
高感度のうきのアーム２８は、この場合にもアイリングである釣糸保持要素３０をその末端に有している。高感度のうきのアーム２８は、低感度のうきのアーム１８の長さと同様の長さを有している。高感度のうき部分１４が完全に伸びた状態にあるとき（図２参照）、高感度のうきの釣糸保持要素３０及び低感度のうきの釣糸保持要素２４は、互いに隣接する位置にある。高感度のうき部分１４が完全に後退した状態にあるとき（図１参照）、高感度のうきの釣糸保持要素３０は、低感度のうき部分１２の両端間の中間に位置し、また、より特定的には、低感度のうきのアーム１８の基端に隣接している。
【００１７】
更に、高感度のうき部分１４が完全に後退した状態にあるとき、高感度のうきのアーム２８から離れたうき本体２６の端部は、低感度のうき部分１２の管状部分１６の端部から突き出している。完全に伸びた状態において、うき本体２６は、低感度のうき部分１２の管状部分１６内に隠れている。
【００１８】
高感度のうき本体２６が低感度のうき部分１２の管状部分１６から意図せずに滑り出るのを防止するため、管状部分１６の端部に又は該端部に隣接してストッパ３２が設けられている。該ストッパ３２は、この場合、単に、低感度のうきのアーム１８から横方向に突き出すピンである。
【００１９】
低感度のうきのアーム１８は、低感度のうきの釣糸保持要素２４を高感度のうきのアーム２８から離れるよう離間する僅かな曲がり部すなわちクランク部３４を有している。明確には図示しないが、高感度のうきのアーム２８は、また、低感度のうきのアーム１８の曲がり部３４に対して横方向に、換言すれば、図面の面内に又は図面の面外に突き出す同様の曲がり部すなわちクランク部３６も有している。高感度のうきのアームの曲がり部３６及び低感度のうきのアームの曲がり部３４は、それぞれの高感度のうきの釣糸保持要素３０及び高感度のうきの釣糸保持要素２４に隣接している。曲がり部３４、３６は、錘を釣糸に取り付けるためのスペースを提供し、且つ特に、望ましくないコイル巻き状態を呈するとき、高感度のうきの釣糸保持要素３０を通る釣糸の低抵抗の動きを許容する。
【００２０】
使用時、リールからの釣糸は、最初に、低感度のうきの釣糸保持要素２４に通し、且つ低感度のうき部分１２に対し所要位置にて固定する。固定は、典型的に、低感度のうきのアーム１８の両側における１つ以上の釣り用錘によって行われる。これら錘の１つ以上は、典型的に、上述したように投げ込み用錘であるが、これと代替的に又は追加的に、投げ込み用錘は、低感度のうきの釣糸保持要素２４とリールとの間の釣糸における１つ又は複数の異なる位置に設けることができる。
【００２１】
次に、釣糸は、高感度のうきの釣糸保持要素３０に通し、且つ適宜な釣鉤を釣糸の端部に取り付ける。低感度のうきの釣糸保持要素２４と釣鉤との間の釣糸の長さは、高感度のうき部分１４が妨害されずに摺動動作するのを許容するのに十分である。
【００２２】
ロッド及びリールを使用して、低感度のうき部分１２及び投げ込み用錘のため釣糸を投げ込むことができる。水中にあるとき、高感度のうき部分１４は、全体として図１に示した後退状態にある。ユーザは高感度のうき本体２６の端部を視認することができる。
【００２３】
魚が最初に釣鉤に掛かったとき、高感度のうき部分１４のみが引っ張られる。高感度のうき部分１４は、極めて低抵抗を提供し、また、低感度のうきの釣糸保持要素２４から釣鉤までの相対的に短い長さと相俟って、魚は妨害されない状態に保たれ、完全に餌に食い付く。ユーザは、魚が餌に食い付くとき、高感度のうき部分１４の端部が隠れていることを知ることができ、高感度のうき部分１４が図２に全体として示した完全に伸びた状態となったならば、次に、低感度のうき部分１４はぐいと引き始める。次に、魚は釣鉤に確保され、且つリールを巻いて引き寄せることができる。
【００２４】
次に、図３及び図４を参照すると、本発明によるうきの第二の実施形態が１０´で示されている。同様の番号は同様の部品を示し、更なる詳細な説明は省略する。
【００２５】
この実施の形態において、重いすなわち低感度のうき部分１２´は、第一の実施の形態のものと実質的に同一である。しかし、軽いすなわち高感度のうき部分１４´は、低感度のうき部分１２´の管状部分１６´内にて摺動し得るよう受け入れられた細長いうき本体２６´と、低感度のうきのアーム１８´の末端に回動可能に接続された高感度のうきのアーム２８´と、高感度のうき本体２６´及び高感度のうきのアーム２８´を共に連結する細長い可撓性の要素３８とを備えている。従って、高感度のうき本体２６´及び高感度のうきのアーム２８´は、互いに直接、係合していない。
【００２６】
高感度のすなわち敏感なうきのアーム２８´の一端は、低感度のうきのアーム１８´の釣糸保持要素２４´と便宜に回動可能に係合している。細長い可撓性の要素３８の一端は、高感度のうきのアーム２８´の釣糸保持要素３０´と係合或いは連結しており、他端は、高感度のうき本体２６´の一端と係合或いは連結している。
【００２７】
細長い可撓性要素３８は、十分な長さであり、張力下で且つ、高感度のうきのアーム２８´が回動した上方の状態（図３）にあるとき、高感度のうき本体２６´の一端は、低感度のうきの管状部分１６´の端部から突き出し、また、高感度のうきの釣糸保持要素３０´は、低感度のうき部分１２´の両端間の中間にあり、また、高感度のうきのアーム２８´が回動した下方の状態にあるとき（図４）、高感度のうきの釣糸保持要素３０´は、低感度のうきの釣糸保持要素２４´よりも低感度のうき管状部分１６´から離れた位置にある。高感度のうきのアーム２８´の下方位置は、細長い可撓性要素３８の長さに依存し、また、高感度のうき本体２６´が低感度のうき部分の管状部分１６´から完全に引き出されるのを防止するストッパ３２´の位置に依存する。
【００２８】
第二の実施の形態のうき１０´は、第一の実施の形態にて上述したように釣糸に取り付けられる。釣糸は、低感度のうきの釣糸保持要素２４´に強固に取り付けられ、うき１０´を釣糸の長手方向長さに対して所要位置に保持し、また、釣糸の残りの長さは、高感度のうきの釣糸の保持要素３０´を通して釣鉤を取り付ける。以前の場合と同様に、低感度のうき釣糸の保持要素２４´から釣鉤までの釣糸の長さは、高感度のうきの釣糸保持要素３０´を通って自由に動く。
【００２９】
投げ込み、すなわちキャスティングを可能にし、また、好ましくは、釣糸を低感度のうきの釣糸保持要素２４´に取り付けることを可能にし得るように、投げ込み用錘が使用される。水に入り且つ、釣鉤が自由に沈んだならば、高感度のうき部分１４´は、高感度のうきのアーム２８´が上方にある第一の状態となる。高感度のうき部分１４´は低抵抗であるため、魚が釣鉤を最初に試し、且つ強く引っ張るとき、高感度のうきのアーム２８´は、単に下方に動いて第二の状態をとる。高感度のうきのアーム２８´が下方に動くと、高感度のうき本体２６´は、細長い可撓性の要素３８を介して低感度のうき部分１２´の管状部分１６´に沿って下方に引っ張られる。この極めて低抵抗の動きは、釣人に対し魚が興味を示していることを示す一方にて、魚がより確実に餌に食い付くのを助長することになる。高感度のうき本体２６´がストッパ３２´に達したならば、低感度のうき部分１２´はぐいと引き始め、魚がより強く餌に食い付いたことを示し、このため、リールを巻いて引き寄せることができる。
【００３０】
高感度のうき部分の可撓性の細長い要素は、長さの短い釣糸である。しかし、任意の他の適宜な材料を利用することができる。可撓性の細長い本体の長さは、ユーザが設定することができ、また、高感度のうきのアームを完全に又は部分的にのみ伸長させることを許容することができる。
【００３１】
上述した釣糸保持要素は、アイであることが好ましいが、低感度のうき部分の釣糸保持要素は、釣糸を低感度のうき部分に静止状態に取り付け又は固定することを許容する任意の装置とすることができる。
【００３２】
高感度のうきのアーム及び低感度のうきのアームは、金属にて出来たものであることが好ましい。しかし、プラスチックを使用することができる。塗被ウッドは摩擦が大きいため、好ましくない。
【００３３】
このため、釣人が釣竿に代えてロッド及びリールを使用することを許容するうきを提供することが可能である。また、極めて低抵抗の釣鉤を提供する一方にて、投げ込みを許容するうきを提供することも可能である。
【００３４】
上述した実施の形態は、単に一例として掲げたものであり、特許請求の範囲に記載された本発明の範囲から逸脱せずに、当該技術分野の当業者には、形態変更例が明らかであろう。
【図面の簡単な説明】
【００３５】
【図１】本発明の第一の特徴に従い且つ第一の状態における釣り用うきの第一の実施の形態を示す概略長手方向断面図である。
【図２】第二の状態におけるうきを示す図１と同様の図である。
【図３】本発明の第一の特徴に従い且つ第一の状態における釣り用うきの第二の実施の形態を示す概略長手方向断面図である。
【図４】第二の状態におけるうきを示す図３と同様の図である。
【符号の説明】
【００３６】
１０、１０´    釣り用うき        １２、１２´  低感度のうき部分
１４、１４´    高感度のすなわち敏感なうき部分    
１６、１６´    管状部分          １８、１８´  低感度のうきのアーム
２０  第一の浮揚要素              ２２  第二の浮揚要素
２４、２４´    釣糸保持要素      ２６  細長いうき本体
２６´  浮揚性うき本体            ２８  細長い高感度のうきのアーム
２８´  高感度のすなわち敏感なうきのアーム
３０、３０´  釣糸保持要素        ３２、３２´    ストッパ
【図１】
2006230405.tif 000003
【図２】
2006230405.tif 000004
【図３】
2006230405.tif 000005
【図４】
2006230405.tif 000006